(57)【特許請求の範囲】
【請求項１】
ユーザ機器におけるワイヤレス通信の方法であって、
第１のデバイスによって、送信の第１の優先度レベルを決定することと、前記送信の前記第１の優先度レベルが、前記第１のデバイスまたは第２のデバイスに関連するサービスグループ優先度レベルに少なくとも部分的に基づき、前記第１のデバイスまたは前記第２のデバイスのうちの少なくとも１つは、前記サービスグループ優先度レベルに関連するサービスグループを形成する複数のデバイスのうちの１つである、
前記決定された第１の優先度レベルと対応する、近接サービス通信のための第１のリソースプールを選択することと、
前記選択された第１のリソースプールからの１つまたは複数のリソースを使用して、前記第２のデバイスにデータを送信することと、
前記選択された第１のリソースプールからの前記１つまたは複数のリソースについての競合を検出することと、
前記検出することに少なくとも部分的に基づいて第２のリソースプールを選択することと、前記第２のリソースプールが第２の優先度レベルに関連する、
前記選択された第２のリソースプールからの１つまたは複数のリソースを使用して、前記第２のデバイスにデータを送信することと
を備える、方法。
【請求項２】
前記送信の前記第１の優先度レベルが、前記第１のデバイスまたは前記第２のデバイスに関連するデバイス優先度レベルに少なくとも部分的にさらに基づく、請求項１に記載の方法。
【請求項３】
複数のリソースプールの優先度レベルを識別するメッセージを受信することをさらに備え、前記メッセージがシステム情報ブロックメッセージまたは専用無線リソース制御メッセージであり、前記複数のリソースプールが前記第１のリソースプールと前記第２のリソースプールとを含む、
請求項１に記載の方法。
【請求項４】
前記第２のリソースプールに関連する前記第２の優先度レベルが、前記第１のリソースプールに関連する前記第１の優先度レベルよりも低い、請求項１に記載の方法。
【請求項５】
前記第１のリソースプールが、スケジューリング割当てリソースプールまたはデータリソースプールまたはそれらの組合せを備える、請求項１に記載の方法。
【請求項６】
前記第１のデバイスが、前記サービスグループに関連するように事前構成された、請求項１に記載の方法。
【請求項７】
前記サービスグループが一意のグループ識別情報に関連する、請求項１に記載の方法。
【請求項８】
ユーザ機器におけるワイヤレス通信のための装置であって、
第１のデバイスによって、送信の第１の優先度レベルを決定するための手段と、前記送信の前記第１の優先度レベルが、前記第１のデバイスまたは第２のデバイスに関連するサービスグループ優先度レベルに少なくとも部分的に基づき、前記第１のデバイスまたは前記第２のデバイスのうちの少なくとも１つは、前記サービスグループ優先度レベルに関連するサービスグループを形成する複数のデバイスのうちの１つである、
前記決定された第１の優先度レベルと対応する、近接サービス通信のための第１のリソースプールを選択するための手段と、
前記選択された第１のリソースプールからの１つまたは複数のリソースを使用して、前記第２のデバイスにデータを送信するための手段と、
前記選択された第１のリソースプールからの前記１つまたは複数のリソースについての競合を検出するための手段と、
前記検出することに少なくとも部分的に基づいて第２のリソースプールを選択するための手段と、前記第２のリソースプールが第２の優先度レベルに関連する、
前記選択された第２のリソースプールからの１つまたは複数のリソースを使用して、前記第２のデバイスにデータを送信するための手段と
を備える、装置。
【請求項９】
前記送信の前記第１の優先度レベルが、前記第１のデバイスまたは前記第２のデバイスに関連するデバイス優先度レベルに少なくとも部分的にさらに基づく、請求項８に記載の装置。
【請求項１０】
複数のリソースプールの優先度レベルを識別するメッセージを受信するための手段をさらに備え、前記メッセージがシステム情報ブロックメッセージまたは専用無線リソース制御メッセージであり、前記複数のリソースプールが前記第１のリソースプールと前記第２のリソースプールとを含む、
請求項８に記載の装置。
【請求項１１】
前記第２のリソースプールに関連する前記第２の優先度レベルが、前記第１のリソースプールに関連する前記第１の優先度レベルよりも低い、請求項８に記載の装置。
【請求項１２】
前記第１のリソースプールが、スケジューリング割当てリソースプールまたはデータリソースプールまたはそれらの組合せを備える、請求項８に記載の装置。
【請求項１３】
前記第１のデバイスが、前記サービスグループに関連するように事前構成された、請求項８に記載の装置。
【請求項１４】
前記サービスグループが一意のグループ識別情報に関連する、請求項８に記載の装置。
【発明の詳細な説明】
【技術分野】
【０００１】
相互参照
[0001]本特許出願は、各々が本出願の譲受人に譲渡された、２０１５年７月２４日に出願された、「Group Priority Handling for Wireless Communication」と題する、Ｂａｇｈｅｌらによる米国特許出願第１４／８０８，１５４号、および２０１４年９月１１日に出願された、「Group Priority Handling for Wireless Communication」と題する、Ｂａｇｈｅｌらによる米国仮特許出願第６２／０４９，３４５号の優先権を主張する。
【０００２】
[0002]以下は、一般にワイヤレス通信に関し、より詳細には、ワイヤレス通信システムにおけるグループ優先度処理に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]概して、ワイヤレス多元接続通信システムは、各々が複数のモバイルデバイスまたは他のユーザ機器（ＵＥ）デバイスのための通信を同時にサポートする、いくつかの基地局を含み得る。基地局は、ダウンストリームリンクおよびアップストリームリンク上でＵＥと通信し得る。各基地局は、セルのカバレージエリアと呼ばれることがあるカバレージエリアを有する。デバイスツーデバイス（Ｄ２Ｄ）通信は、基地局のカバレージエリア内のまたは基地局のカバレージエリアを越えてのいずれかの、ＵＥ間の直接的なワイヤレス通信に関与する。Ｄ２Ｄ通信は、デバイスがカバレージエリア内にある場合に基地局からの送信をスケジュールすることによって促進され得る。
【０００５】
[0005]多くの状況では、Ｄ２Ｄ通信におけるワイヤレス送信は、媒体上で送信していることがある他のＵＥを含む、様々なソースからの制限されたリソース（たとえば、伝送媒体）についての競合に遭遇し得る。しかしながら、場合によっては、Ｄ２Ｄ通信は、たとえば、警察、消防、および救助チームなど、公共安全の担当官によって利用される。したがって、公共安全の担当官が、緊急応答の調整中にアドホックＤ２Ｄ通信において正常に送信するのを防ぐリソース競合により、不利な結果が生じ得る。
【発明の概要】
【０００６】
[0006]説明する特徴は、一般に、Ｄ２Ｄワイヤレス通信システムにおける競合を低減するための１つまたは複数の改善されたシステム、方法、および／または装置に関する。様々な例によれば、複数のＵＥが、グループの異なるセットに構成され、各グループは、異なる優先度レベルに関連し得る。たとえば、いくつかの状況では、指揮緊急調整官と、警察、消防、および救助チームの長とを備える緊急応答調整チームが、最高優先度レベルに関連する第１のグループに割り当てられ得る。同様に、各応答チームのメンバーまたはそれらの組合せが、２番目に高い優先度レベルに関連する第２のグループに割り当てられ得る。最後に、非緊急要員が、最小優先度レベルに関連する第３のグループを備え得る。
【０００７】
[0007]本開示によれば、ネットワークは、複数のリソースプールを、上記で割り当てられたグループの各々に分配し得る。詳細には、いくつかの例では、ネットワークは、異なる優先度レベルを、利用可能なリソースプールの各々に割り振り得る。したがって、近接ベースサービス（ＰｒｏＳｅ：proximity based service）通信の場合、各グループ内のＵＥが、ＵＥに関連するグループの優先度レベルに対応するリソースプールを選択し得る。その結果、高優先度のＵＥは、より低い優先度のＵＥからのリソースについての競合を制限し得る。
【０００８】
[0008]いくつかの例では、グループ内のＵＥは、さらに、ＵＥ固有の優先度を割り振られ得る。たとえば、指揮調整官と、警察、消防、および救助チームの長とを備える第１のグループ内で、指揮緊急調整官は最高優先度を割り振られ得、警察、消防、および救助チームの長は、より低い優先度を割り振られ得る。したがって、第１のグループ内でのトラフィック送信のスケジューリングは、さらに、ＵＥ固有の優先度レベルに基づき得る。グループおよびＵＥの優先度レベルに基づくリソースのそのような分割は、高優先度通信のためのリソースへのアクセスのより大きい信頼性を保証し得る。上記の例について公共安全の担当官に関して説明したが、本開示の態様が、ネットワーク上の競合を低減するために、任意の数の状況のために採用され得ることが、当業者には理解されよう。
【０００９】
[0009]ＵＥにおけるワイヤレス通信の方法について説明する。本方法は、第１のデバイスによって、送信の第１の優先度レベルを決定することと、ここにおいて、第１のデバイスが少なくとも１つのサービスグループに関連する、決定された第１の優先度レベルと対応する、近接サービス（ＰｒｏＳｅ：proximity service）通信のための第１のリソースプールを選択することと、選択された第１のリソースプールからの１つまたは複数のリソースを使用して、第２のデバイスにデータを送信することとを含み得る。
【００１０】
[0010]ＵＥにおけるワイヤレス通信のための装置について説明する。本装置は、第１のデバイスによって、送信の第１の優先度レベルを決定するための手段と、ここにおいて、第１のデバイスが少なくとも１つのサービスグループに関連する、決定された第１の優先度レベルと対応する、ＰｒｏＳｅ通信のための第１のリソースプールを選択するための手段と、選択された第１のリソースプールからの１つまたは複数のリソースを使用して、第２のデバイスにデータを送信するための手段とを含み得る。
【００１１】
[0011]ＵＥにおけるワイヤレス通信のためのさらなる装置について説明する。本装置は、プロセッサと、プロセッサと電子通信しているメモリと、メモリに記憶された命令とを含み得、ここにおいて、命令は、第１のデバイスによって、送信の第１の優先度レベルを決定することと、ここにおいて、第１のデバイスが少なくとも１つのサービスグループに関連する、決定された第１の優先度レベルと対応する、ＰｒｏＳｅ通信のための第１のリソースプールを選択することと、選択された第１のリソースプールからの１つまたは複数のリソースを使用して、第２のデバイスにデータを送信することとを行うためにプロセッサによって実行可能である。
【００１２】
[0012]ＵＥにおけるワイヤレス通信のためのコードを記憶する非一時的コンピュータ可読媒体について説明する。コードは、第１のデバイスによって、送信の第１の優先度レベルを決定することと、ここにおいて、第１のデバイスが少なくとも１つのサービスグループに関連する、決定された第１の優先度レベルと対応する、ＰｒｏＳｅ通信のための第１のリソースプールを選択することと、選択された第１のリソースプールからの１つまたは複数のリソースを使用して、第２のデバイスにデータを送信することとを行うために実行可能な命令を含み得る。
【００１３】
[0013]上記で説明した方法、装置、または非一時的コンピュータ可読媒体のいくつかの例では、送信の第１の優先度レベルは、第１のデバイスまたは第２のデバイスに関連するデバイス優先度レベルに少なくとも部分的に基づく。追加または代替として、いくつかの例では、送信の第１の優先度レベルは、第１のデバイスまたは第２のデバイスに関連するサービスグループ優先度レベルに少なくとも部分的に基づく。
【００１４】
[0014]上記で説明した方法、装置、または非一時的コンピュータ可読媒体のいくつかの例は、第１のデバイスのデバイス優先度レベルと対応する期間中に第２のデバイスにデータを送信することをさらに含み得る。追加または代替として、いくつかの例は、複数のリソースプールの優先度レベルを識別するメッセージを受信することを含み得、メッセージはシステム情報ブロック（ＳＩＢ：system information block）メッセージまたは専用無線リソース制御（ＲＲＣ：radio resource control）メッセージである。
【００１５】
[0015]上記で説明した方法、装置、または非一時的コンピュータ可読媒体のいくつかの例は、メッセージ中で識別された複数のリソースプールのいずれも第１の優先度レベルに関連しないと決定することと、ネットワークデバイスに通知メッセージを送信することと、通知メッセージが、複数のリソースプールの優先度レベルを調節するようにネットワークデバイスに要求する、をさらに含み得る。場合によっては、通知メッセージは、サービスグループ識別情報（ＩＤ）と送信の第１の優先度レベルとを備える。追加または代替として、いくつかの例は、選択された第１のリソースプールからの１つまたは複数のリソースについての競合を検出することと、検出することに少なくとも部分的に基づいて第２のリソースプールを選択することと、第２のリソースプールが第２の優先度レベルに関連する、選択された第２のリソースプールからの１つまたは複数のリソースを使用して、第２のデバイスにデータを送信することとを含み得る。
【００１６】
[0016]上記で説明した方法、装置、または非一時的コンピュータ可読媒体のいくつかの例では、第２のリソースプールに関連する第２の優先度レベルは、第１のリソースプールに関連する第１の優先度レベルよりも低い。追加または代替として、いくつかの例では、第１のリソースプールは、スケジューリング割当て（ＳＡ）リソースプールまたはデータリソースプールまたはそれらの組合せを備える。上記で説明した方法、装置、または非一時的コンピュータ可読媒体のいくつかの例では、第１のデバイスは、少なくとも１つのサービスグループに関連するように事前構成される。追加または代替として、いくつかの例では、少なくとも１つのサービスグループは一意のグループ識別情報（ＩＤ）に関連する。
【００１７】
[0017]基地局におけるワイヤレス通信の方法について説明する。本方法は、第１のデバイスから通知メッセージを受信することと、ＰｒｏＳｅ通信のために使用される複数のリソースプールの各々のための優先度レベルを識別することと、優先度レベルが通知メッセージに少なくとも部分的に基づく、複数のリソースプールのうちの少なくとも１つの識別された優先度レベルのうちの少なくとも１つを調節することとを含み得る。
【００１８】
[0018]基地局におけるワイヤレス通信のための装置について説明する。本装置は、第１のデバイスから通知メッセージを受信するための手段と、ＰｒｏＳｅ通信のために使用される複数のリソースプールの各々のための優先度レベルを識別するための手段と、優先度レベルが通知メッセージに少なくとも部分的に基づく、複数のリソースプールのうちの少なくとも１つの識別された優先度レベルのうちの少なくとも１つを調節するための手段とを含み得る。
【００１９】
[0019]基地局におけるワイヤレス通信のためのさらなる装置について説明する。本装置は、プロセッサと、プロセッサと電子通信しているメモリと、メモリに記憶された命令とを含み得、ここにおいて、命令は、第１のデバイスから通知メッセージを受信することと、ＰｒｏＳｅ通信のために使用される複数のリソースプールの各々のための優先度レベルを識別することと、優先度レベルが通知メッセージに少なくとも部分的に基づく、複数のリソースプールのうちの少なくとも１つの識別された優先度レベルのうちの少なくとも１つを調節することとを行うためにプロセッサによって実行可能である。
【００２０】
[0020]基地局におけるワイヤレス通信のためのコードを記憶する非一時的コンピュータ可読媒体について説明する。コードは、第１のデバイスから通知メッセージを受信することと、ＰｒｏＳｅ通信のために使用される複数のリソースプールの各々のための優先度レベルを識別することと、優先度レベルが通知メッセージに少なくとも部分的に基づく、複数のリソースプールのうちの少なくとも１つの識別された優先度レベルのうちの少なくとも１つを調節することとを行うために実行可能な命令を含み得る。
【００２１】
[0021]上記で説明した方法、装置、または非一時的コンピュータ可読媒体のいくつかの例は、第１のデバイスに応答メッセージを送信することをさらに含み得、応答メッセージは、複数のリソースプールのうちの少なくとも１つの調節された優先度レベルを識別する。追加または代替として、いくつかの例では、応答メッセージは、複数のリソースプールのうちの少なくとも１つの上でデータを送信する前に所定の時間期間待つように第１のデバイスに命令する。上記で説明した方法、装置、または非一時的コンピュータ可読媒体のいくつかの例では、通知メッセージは、サービスグループ識別情報（ＩＤ）とサービスグループＩＤ優先度レベルとを備える。
【００２２】
[0022]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明のみの目的で与えられ、特許請求の範囲の限界を定めるものではない。
【００２３】
[0023]本開示の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルだけが本明細書において使用される場合、その説明は、第２の参照ラベルにかかわらず、同じ第１の参照ラベルを有する同様の構成要素のうちのいずれにも適用可能である。
【図面の簡単な説明】
【００２４】
【図１】[0024]本開示の様々な態様による、ワイヤレス通信システムの一例を示す図。
【図２】[0025]本開示の様々な態様による、Ｄ２Ｄ通信のためのグループ優先度処理のためのワイヤレス通信サブシステムの一例を示す図。
【図３】[0026]本開示の様々な態様による、スケジューリング割当て（ＳＡ）およびデータの送信のためのＳＡリソースプールおよびデータリソースプールの一例を示す図。
【図４】[0027]本開示の様々な態様による、ワイヤレスＤ２Ｄ通信のためのグループ優先度処理のためのユーザ機器（ＵＥ）のブロック図。
【図５】[0028]本開示の様々な態様による、ワイヤレスＤ２Ｄ通信のためのグループ優先度処理のためのＵＥのブロック図。
【図６】[0029]本開示の様々な態様による、モード２通信のためのグループ優先度処理のための通信管理モジュールのブロック図。
【図７】[0030]本開示の様々な態様による、モード２通信のためのグループ優先度処理のためのシステムの図。
【図８】[0031]Ｄ２Ｄワイヤレス通信における競合を低減するための基地局のブロック図。
【図９】[0032]Ｄ２Ｄワイヤレス通信におけるグループ優先度処理のための基地局のブロック図。
【図１０】[0033]本開示の様々な態様による、モード２通信のためのグループ優先度処理のための通信管理モジュールのブロック図。
【図１１】[0034]本開示の様々な態様による、Ｄ２Ｄワイヤレス通信におけるグループ優先度処理のためのシステムの図。
【図１２】[0035]本開示の様々な態様による、Ｄ２Ｄワイヤレス通信のためのグループ優先度処理をサポートする方法を示すフローチャート。
【図１３】[0036]本開示の様々な態様による、ワイヤレスＤ２Ｄ通信のためのグループ優先度処理をサポートする方法を示すフローチャート。
【図１４】[0037]本開示の様々な態様による、ワイヤレスＤ２Ｄ通信のためのグループ優先度処理をサポートする方法を示すフローチャート。
【図１５】[0038]本開示の様々な態様による、ワイヤレスＤ２Ｄ通信のためのグループ優先度処理をサポートする方法を示すフローチャート。
【図１６】[0039]本開示の様々な態様による、モード２通信のためのグループ優先度処理をサポートする方法を示すフローチャート。
【図１７】[0040]本開示の様々な態様による、ワイヤレスＤ２Ｄ通信のためのグループ優先度処理をサポートする方法を示すフローチャート。
【発明を実施するための形態】
【００２５】
[0041]説明する特徴は、一般に、Ｄ２Ｄワイヤレス通信システムにおける競合を低減するための改善されたシステム、方法、および／または装置に関する。アドホックモード２ＰｒｏＳｅ通信では、デバイス（たとえば、ＵＥ）が、ネットワーク上で他のＵＥからのリソース（たとえば、伝送媒体）についての競合を経験し得る。複数のＵＥ間の競合の結果として、デバイスによる送信のためにスケジュールされたデータパケットは媒体からドロップされ得る。しかしながら、緊急応答調整などの高優先度通信中に、制限されたリソースへの信頼できるアクセスを保証することがいくつかのユーザにとって重要であり得る。
【００２６】
[0042]本開示によれば、複数のＵＥの間のリソース競合は、いくつかの送信リソースのために要求し得るＵＥの数を制限することによって低減され得る。いくつかの例では、１つまたは複数のＵＥは、デバイス固有の識別情報に基づいてグループの異なるセットに割り当てられ得る。たとえば、いくつかの状況では、指揮緊急調整官と、警察、消防、および救助チームの長とを備える緊急応答調整チームが、最高優先度レベルに関連する第１のグループに割り当てられ得る。同様に、各応答チームのメンバーまたはそれらの組合せが、２番目に高い優先度レベルに関連する第２のグループに割り当てられ得る。最後に、非緊急要員が、最小優先度レベルに関連する第３のグループを備え得る。サービスグループの数が、サービスグループの優先度トポロジーおよび／またはネットワークにおけるＵＥの数に基づいて変化し得ることが、当業者には理解されよう。
【００２７】
[0043]いくつかの例では、上記で開示したグループの各セットは、各グループの優先度レベルに対応する少なくとも１つのリソースプールを割り当てられ得る。一例では、ネットワークは、システム情報ブロック（ＳＩＢ）メッセージまたは専用無線リソース制御（ＲＲＣ）メッセージを送信することによって、デバイスにリソース割当てを通知し得る。受信されたメッセージに基づいて、デバイスは、デバイスに関連する少なくとも１つのサービスグループの優先度レベルを決定し、したがって、決定された優先度レベルと相関する近接サービス（ＰｒｏＳｅ）通信のためのリソースプールを選択し得る。したがって、上記で説明した例では、第１のグループに対応するＵＥのみが、最高優先度レベルに関連するリソースプールを選択し得る。同様に、第２のグループに対応するＵＥは、データ送信ための第２の優先度レベルのリソースプールを利用し得る。
【００２８】
[0044]本開示によれば、より低い優先度レベルのグループが、データ送信のためのより高い優先度レベルのリソースプールを選択するのを制限され得る。しかしながら、いくつかの例では、より高い優先度レベルに対応するＵＥが、より低い優先度プールを選択し得る。たとえば、第１のグループに関連するＵＥが、第１および第２のサービスグループに割り振られたリソースプールを利用し得る。いくつかの状況では、より低い優先度プールの選択は、第１のリソースプールに関する干渉または競合検出を含む、いくつかの要因に基づき得る。いくつかの例では、グループ内のリソースについての競合は、ＵＥ固有の優先度をグループ内の各デバイスに割り振ることによってさらに低減され得る。その結果、グループ内のデータ送信スケジュールは、デバイスのＵＥ固有の優先度レベルに基づき得る。したがって、本開示によれば、グループおよびＵＥの優先度レベルに基づくリソースの分割は、高優先度通信のためのリソースへのアクセスのより大きい信頼性を与え得る。
【００２９】
[0045]以下の説明は、例を与えるものであり、特許請求の範囲に記載される範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００３０】
[0046]図１に、本開示の様々な態様による、ワイヤレス通信システム１００の一例を示す。ワイヤレス通信システム１００は、基地局１０５と、少なくとも１つのユーザ機器（ＵＥ）１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的（たとえば、コアネットワーク１３０を通して）のいずれかで、互いに通信し得る。
【００３１】
[0047]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局および／またはスモールセル基地局）を含み得る。異なる技術のための重複する地理的カバレージエリア１１０があり得る。
【００３２】
[0048]いくつかの例では、ワイヤレス通信システム１００はロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３３】
[0049]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと同じまたは異なる（たとえば、認可、無認可などの）周波数帯域内で動作し得る、マクロセルと比較して、低電力の基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）をもカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３４】
[0050]ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００３５】
[0051]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：packet data convergence protocol）レイヤにおける通信はＩＰベースであり得る。無線リンク制御（ＲＬＣ：radio link control）レイヤが、論理チャネルを介して通信するためにパケットセグメンテーションおよびリアセンブリを実行し得る。媒体アクセス制御（ＭＡＣ：medium access control）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ：hybrid automatic repeat request）を使用し得る。制御プレーンでは、無線リソース制御（ＲＲＣ）プロトコルレイヤは、ＵＥ１１５と基地局１０５との間のＲＲＣ接続の確立と構成と保守とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００３６】
[0052]ＵＥ１１５は、ワイヤレス通信システム１００全体にわたって分散され得、各ＵＥ１１５は固定式または移動可能であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいは当業者によってそのような用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００３７】
[0053]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ：frequency division duplex）動作を使用して（たとえば、対スペクトルリソースを使用して）または時分割複信（ＴＤＤ：time division duplex）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【００３８】
[0054]ワイヤレス通信システム１００のいくつかの例では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００３９】
[0055]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのための、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４０】
[0056]ワイヤレス通信リンク１２５はまた、デバイスツーデバイス（Ｄ２Ｄ）通信として知られる構成でＵＥ１１５間に確立され得る。Ｄ２Ｄ通信を利用するＵＥのグループのうちの１つまたは複数（たとえば、第１のＵＥ１１５−ａ−１）が、セルのカバレージエリア１１０−ａ内にあり得る。そのようなグループ中の他のＵＥ（たとえば第２のＵＥ１１５−ａ−２および第３のＵＥ１１５−ａ−３）は、セルのカバレージエリア１１０−ａ外にあるか、またはさもなければ、基地局１０５からの送信を受信することができないことがある。場合によっては、Ｄ２Ｄ通信を介して通信するＵＥ１１５のグループは、各ＵＥ１１５がグループ中のあらゆる他のＵＥ１１５に送信する１対多（１：Ｍ）システムを利用し得る。場合によっては、基地局１０５が、Ｄ２Ｄ通信のためのリソースのスケジューリングを促進する。他の場合には、Ｄ２Ｄ通信は基地局１０５とは無関係に実行される。
【００４１】
[0057]いくつかの例では、１つまたは複数のＵＥ１１５は、ＵＥ識別情報に基づいて少なくとも１つのサービスグループに関連し得る。たとえば、第１のＵＥ１１５−ａ−１、第２のＵＥ１１５−ａ−２および第３のＵＥ１１５−ａ−３は第１のサービスグループに割り当てられ得、ネットワーク中の残りのＵＥ１１５は第２のサービスグループに関連し得る。一例では、ＵＥ１１５−ａを備える第１のサービスグループは、ＵＥ識別情報に基づいて高優先度のサービスグループとして指定され得る。その結果、本開示の一例によれば、第１のサービスグループは、第２のサービスグループと比較して、ネットワーク上での送信のためのより高い優先度のリソースプールを割り振られ得る。いくつかの例では、基地局１０５は、システム情報ブロック（ＳＩＢ）メッセージまたは専用無線リソース制御（ＲＲＣ）メッセージを送信することによって、ＵＥ１１５にリソースプール割当てを通知し得る。他の例では、通知メッセージは、ＵＥ１１５への専用信号を含み得る。受信されたメッセージに基づいて、ＵＥ１１５−ａは、第１のサービスグループに関連する優先度レベルに関連する第１または第２のリソースプールのうちの少なくとも１つを選択し得る。
【００４２】
[0058]図２に、本開示の様々な態様による、Ｄ２Ｄ通信のためのグループ優先度処理のためのワイヤレス通信システム２００の一例を示す。図２のワイヤレス通信システム２００は、図１に関して説明したワイヤレス通信システム１００の一例であり得る。一構成では、基地局１０５−ａが、基地局１０５−ａのカバレージエリア内に入る１つまたは複数のデバイス１１５と通信し得る。カバレージ内デバイス１１５は、基地局１０５−ａとの間で通信を受信／送信し得る。１つまたは複数のデバイス１１５は、基地局１０５−ａのカバレージエリアの外にあり得、Ｄ２Ｄ通信に参加し得る。他のユーザデバイス１１５は、基地局１０５−ａのカバレージエリア内にあり得るが、同じくＤ２Ｄ通信に依然として参加し得る。基地局１０５−ａおよびユーザデバイス１１５は、図１に関して説明した基地局１０５およびユーザデバイス１１５の例であり得る。
【００４３】
[0059]一例では、複数のユーザデバイス１１５は、サービスグループ２１５の優先度に割り振られ得る。たとえば、複数のユーザデバイス１１５−ｂは第１のサービスグループ２１５−ａを形成し得、複数のユーザデバイス１１５−ｃは第２のサービスグループ２１５−ｂに割り当てられ得る。一例では、ユーザデバイス１１５−ｂを備える第１のサービスグループは、ユーザデバイス１１５−ｃの第２のセットを備える第２のサービスグループ２１５−ｂよりも高い優先度レベルを割り振られ得る。ネットワーク中で通信するすべてのユーザデバイスが１つまたは複数のサービスグループ２１５に指定されるとは限らないことが、当業者には理解されよう。たとえば、ユーザデバイス１１５−ｄは、基地局１０５−ａと通信するように構成されたスタンドアロンユーザデバイスであり得る。追加または代替として、ユーザデバイス１１５−ｄはまた、変化する優先度レベルをもつ単一デバイスのサービスグループとして指定され得る。
【００４４】
[0060]一構成では、基地局１０５−ａは、ユーザデバイス１１５にＳＩＢメッセージまたはＲＲＣメッセージを送信することによって、リソースプールを複数のサービスグループ２１５に割り振り得る。モード２送信中にネットワーク上でパケットを送信するように構成されたユーザデバイス１１５は、受信されたメッセージに基づいて、ユーザデバイスに関連するサービスグループ優先度レベルを決定し、対応するスケジューリング割当て（ＳＡ）およびデータ送信リソースプールを選択し得る。いくつかの例では、より高い優先度のユーザデバイス（たとえば、ユーザデバイス１１５−ｂ−２）は、ユーザデバイス１１５−ｂ−２が、それのサービスグループに関連するより高いリソースプール上で他のユーザデバイス（たとえば、ユーザデバイス１１５−ｂ−１および／または１１５−ｂ−３）からの競合を検出した場合、第２のサービスグループ２１５−ｂに関連するより低い優先度のリソースプールを選択し得る。その結果、より高い優先度のユーザデバイス１１５−ｂ−２は、ネットワーク上でパケットを送信するためにサービスグループ２１５−ｂに割り振られたリソースプールを選択し、それを利用し得る。しかしながら、より低い優先度のサービスグループ２１５−ｂに関連するユーザデバイス１１５−ｃは、より高い優先度のプールに関連するリソースプールを利用するのを制限または抑制され得る。
【００４５】
[0061]いくつかの例では、割り振られたリソースプールに関してサービスグループ２１５内の競合を制限するために、サービスグループ（たとえば、２１５−ａ）内の各ユーザデバイス（たとえば、ＵＥ１１５−ｂ）は、ユーザ識別パラメータに基づいてデバイス固有の優先度を割り当てられ得る。したがって、一例では、ユーザデバイス１１５−ｂ−１は、ユーザデバイス１１５−ｂ−１が指揮緊急調整官に関連するという決定に基づいて、サービスグループ２１５−ａ内で第１のＵＥ固有の優先度を割り当てられ得る。逆に、各ユーザデバイス１１５に関連するパラメータに基づいて、ユーザデバイス１１５−ｂ−２は第２のデバイス固有の優先度を割り当てられ、デバイス１１５−ｂ−ｃは第３のデバイス固有の優先度を割り当てられ得る。その結果、いくつかの例では、サービスグループ２１５内のユーザデバイス間の競合は、優先度のユーザデバイス（たとえば、１１５−ｂ−２および／または１１５−ｂ−３）より前に送信するようにより高い優先度のユーザデバイス（たとえば、１１５−ｂ−１）をスケジュールすることによって解決され得る。しかしながら、他の例では、サービスグループ２１５内の各ユーザデバイス１１５は、同じレベルの優先度を割り振られ得る。
【００４６】
[0062]図３に、本開示の様々な態様による、スケジューリング割当て（ＳＡ）およびデータの送信のためのＳＡリソースプールおよびデータリソースプールの例３００を示す。詳細には、図３は、第１のＳＡリソースプール３０５−ａおよび第１のデータリソースプール３１０−ａと、第２のＳＡリソースプール３０５−ｂおよび第２のデータリソースプール３１０−ｂとを示している。リソースプール３０５および３１０は、たとえば、Ｄ２Ｄ通信において、図１〜図２中のＵＥ１１５などのＵＥ間で、ＳＡおよびデータなど、メッセージ３１５〜３５０を送信するために使用され得る。メッセージ３１５〜３５０は、たとえば、ＬＴＥサブフレーム中で送信Ｄ２Ｄ  ＵＥから１つまたは複数の受信Ｄ２Ｄ  ＵＥに送信され得る。
【００４７】
[0063]いくつかの例では、ネットワークは、ＳＡリソースプール３０５および／またはデータリソースプール３１０の全部または一部を、第１の優先度レベルを有するＵＥの第１のセットに関連する第１のサービスグループに割り振り得る。同様に、ネットワークは、ＳＡリソースプール３０５および／またはデータリソースプール３１０の全部または一部を、第２の優先度レベルを有するＵＥの第２のセットに関連する第２のサービスグループに割り振り得る。ＳＡリソースプール３０５およびデータリソースプール３１０が任意の数の指定されたサービスグループに分配され得ることを、当業者は諒解されたい。一例では、ネットワークは、第１のサービスグループが利用するための第１のリソースプール（すなわち、ＳＡリソースプール３０５−ａおよび／またはデータリソースプール３１０−ａ）を割り振り得る。同様に、ネットワークは、第２のサービスグループが利用するための第２のリソースプール（すなわち、ＳＡリソースプール３０５−ｂおよび／またはデータリソースプール３１０−ｂ）を割り振り得る。したがって、第１および第２のサービスグループの各々からの複数のＵＥは、サービスグループの優先度レベルに関連するリソースプールを利用し得る。
【００４８】
[0064]追加または代替として、サービスグループ内のユーザデバイスが、ＳＩＢまたはＲＲＣメッセージ中で識別された複数のＳＡリソースプール３０５および／またはデータリソースプール３１０のうちのいずれもＵＥのサービスグループの優先度に関連しないと決定し得る。その結果、ユーザデバイスは、ユーザデバイスに適応するためにリソースプール３００の優先度レベルを調節するようにネットワークデバイスに要求する通知メッセージをネットワークデバイス（たとえば、基地局）に送信し得る。そのような例では、基地局は、ユーザデバイス要求に適応するために少なくとも１つのＳＡリソースプール３０５および／またはデータリソースプール３１０の優先度を調節し得る。一例では、基地局は、ネットワーク上での再送信をスケジュールするより前に所定の時間期間の間待つようにＵＥに要求するメッセージでユーザデバイスに応答し得る。
【００４９】
[0065]図４に、本開示の様々な態様による、ワイヤレスＤ２Ｄ通信のためのグループ優先度処理のためのＵＥ１１５−ｅのブロック図４００を示す。ＵＥ１１５−ｅは、図１〜図３を参照しながら説明したＵＥ１１５の態様の一例であり得る。ＵＥ１１５−ｅは、受信機４０５、通信管理モジュール４１０、および／または送信機４１５を含み得る。ＵＥ１１５−ｅはプロセッサをも含み得る。これらの構成要素の各々は互いに通信していることがある。
【００５０】
[0066]ＵＥ１１５−ｅの構成要素は、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、少なくとも１つのＩＣ上で、１つまたは複数の他の処理ユニット（またはコア）によって実行され得る。他の場合には、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００５１】
[0067]受信機４０５は、パケット、ユーザデータ、および／または様々な情報チャネルに関連する制御情報（たとえば、制御チャネル、データチャネル、およびＤ２Ｄ通信のためのグループ優先度処理に関係する情報など）などの情報を受信し得る。情報は、通信管理モジュール４１０に、およびＵＥ１１５−ｅの他の構成要素に受け渡され得る。いくつかの例では、受信機４０５は、複数のリソースプールの優先度レベルを識別するメッセージを受信し得、メッセージはＳＩＢメッセージまたは専用ＲＲＣメッセージであり得る。
【００５２】
[0068]通信管理モジュール４１０は、第１のデバイスに関連する少なくとも１つのサービスグループを識別し、少なくとも１つのサービスグループの第１の優先度レベルを決定し得る。いくつかの例では、通信管理モジュール４１０は、決定された第１の優先度レベルと対応する、ＰｒｏＳｅ通信のための第１のリソースプールを選択し、選択された第１のリソースプールからの１つまたは複数のリソースを使用して、第２のデバイスにデータを送信し得る。
【００５３】
[0069]送信機４１５は、ＵＥ１１５−ｅの他の構成要素から受信された信号を送信し得る。場合によっては、送信機４１５は、トランシーバモジュールにおいて受信機４０５とコロケートされ得る。送信機４１５は単一のアンテナを含み得るか、またはそれは複数のアンテナを含み得る。いくつかの例では、送信機４１５は、選択された第１のリソースプールからの１つまたは複数のリソースを使用して、第２のデバイスにデータを送信し得る。いくつかの例では、送信機４１５は、第１のデバイスの第２の優先度レベルと対応する期間中に第２のデバイスにデータを送信し得る。詳細には、デバイスは、サービスグループ中の他のＵＥに対するＵＥ１１５−ｅの優先度に従ってデータを送信し得る。いくつかの例では、送信機４１５は、選択された第２のリソースプールからの１つまたは複数のリソースを使用して、第２のデバイスにデータを送信し得る。
【００５４】
[0070]図５に、本開示の様々な態様による、ワイヤレスＤ２Ｄ通信のためのグループ優先度処理のためのＵＥ１１５−ｆのブロック図５００を示す。ＵＥ１１５−ｆは、図１〜図４を参照しながら説明したＵＥ１１５の態様の一例であり得る。ＵＥ１１５−ｆは、受信機４０５−ａ、通信管理モジュール４１０−ａ、および／または送信機４１５−ａを含み得る。ＵＥ１１５−ｆはプロセッサをも含み得る。これらの構成要素の各々は互いに通信していることがある。通信管理モジュール４１０−ａはまた、サービスＩＤモジュール５０５と、グループ優先度モジュール５１０と、リソース割振りモジュール５１５とを含み得る。
【００５５】
[0071]ＵＥ１１５−ｆの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の場合には、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００５６】
[0072]受信機４０５−ａは、通信管理モジュール４１０−ａに、およびＵＥ１１５−ｆの他の構成要素に受け渡され得る情報を受信し得る。通信管理モジュール４１０−ａは、図４を参照しながら上記で説明した動作を実行し得る。送信機４１５−ａは、ＵＥ１１５−ｆの他の構成要素から受信された信号を送信し得る。
【００５７】
[0073]サービスＩＤモジュール５０５は、図２〜図３を参照しながら上記で説明したように、ＵＥ１１５−ｆに関連する少なくとも１つのサービスグループを識別し得る。いくつかの例では、少なくとも１つのサービスグループは一意のグループＩＤに関連し得る。グループ優先度モジュール５１０は、図２〜図３を参照しながら上記で説明したように、少なくとも１つのサービスグループの第１の優先度レベルを決定し得る。いくつかの例では、第２のリソースプールに関連する第２の優先度レベルは、第１のリソースプールに関連する第１の優先度レベルよりも低くなり得る。
【００５８】
[0074]リソース割振りモジュール５１５は、図２〜図３を参照しながら上記で説明したように、決定された第１の優先度レベルと対応する、ＰｒｏＳｅ通信のための第１のリソースプールを選択し得る。リソース割振りモジュール５１５は、図２〜図３を参照しながら上記で説明したように、検出することに少なくとも部分的に基づいて第２のリソースプールをも選択し得、第２のリソースプールは第２の優先度レベルに関連する。いくつかの例では、リソースプールは、スケジューリング割当て（ＳＡ）リソースプールまたはデータリソースプールまたはそれらの組合せを備える。
【００５９】
[0075]図６に、本開示の様々な態様による、モード２通信のためのグループ優先度処理のための通信管理モジュール４１０−ｂのブロック図６００を示す。通信管理モジュール４１０−ｂは、図４〜図５を参照しながら説明した通信管理モジュール４１０の態様の一例であり得る。通信管理モジュール４１０−ｂは、サービスＩＤモジュール５０５−ａと、グループ優先度モジュール５１０−ａと、リソース割振りモジュール５１５−ａとを含み得る。これらのモジュールの各々は、図５を参照しながら上記で説明した機能を実行し得る。通信管理モジュール４１０−ｂは、デバイス優先度モジュール６０５と、失敗検出モジュール６１０と、通知モジュール６１５と、競合検出モジュール６２０と、事前構成モジュール６２５とをも含み得る。
【００６０】
[0076]通信管理モジュール４１０−ｂの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の場合には、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６１】
[0077]デバイス優先度モジュール６０５は、図２〜図３を参照しながら上記で説明したように、少なくとも１つのサービスグループ内の第１のデバイスの第２の優先度レベルを識別し得る。いくつかの例では、失敗検出モジュール６１０は、図２〜図３を参照しながら上記で説明したように、メッセージ中で識別された複数のリソースプールのいずれも第１の優先度レベルに関連しないと決定し得る。通知モジュール６１５は、図２〜図３を参照しながら上記で説明したように、ネットワークデバイスに通知メッセージを送信し得、通知メッセージは、複数のリソースプールの優先度レベルを調節するようにネットワークデバイスに要求し、ここにおいて、通知メッセージは、サービスグループＩＤと少なくとも１つのサービスグループの第１の優先度レベルとを備える。
【００６２】
[0078]本開示によれば、競合検出モジュール６２０は、図２〜図３を参照しながら上記で説明したように、選択された第１のリソースプールからの１つまたは複数のリソースについての競合を検出し得る。場合によっては、事前構成モジュール６２５は、図２〜図３を参照しながら上記で説明したように、第１のデバイスが、少なくとも１つのサービスグループに関連するように事前構成され得るように構成され得る。
【００６３】
[0079]図７に、本開示の様々な態様による、モード２通信のためのグループ優先度処理のためのシステム７００の図を示す。システム７００は、図１〜図６を参照しながら上記で説明したＵＥ１１５の一例であり得る、ＵＥ１１５−ｇを含み得る。ＵＥ１１５−ｇは、図２〜図６を参照しながら説明した通信管理モジュール４１０の一例であり得る、通信管理モジュール７１０を含み得る。ＵＥ１１５−ｇは競合解決モジュール７２５をも含み得る。いくつかの例では、競合解決モジュール７２５は、図６を参照しながら説明した競合検出モジュール６２０の機能を実行するように構成され得る。ＵＥ１１５−ｇは、通信を送信するための構成要素と通信を受信するための構成要素とを含む、双方向音声およびデータ通信のための構成要素をも含み得る。たとえば、ＵＥ１１５−ｇは、ＵＥ１１５−ｈおよび／または基地局１０５−ｂと双方向に通信し得る。
【００６４】
[0080]ＵＥ１１５−ｇは、プロセッサモジュール７０５と、（ソフトウェア（ＳＷ）７２０を含む）メモリ７１５と、トランシーバモジュール７３５と、１つまたは複数のアンテナ７４０とをも含み得、その各々は、（たとえば、バス７４５を介して）直接または間接的に、互いに通信し得る。トランシーバモジュール７３５は、上記で説明したように、（１つまたは複数の）アンテナ７４０および／またはワイヤードリンクまたはワイヤレスリンクを介して、１つまたは複数のネットワークと双方向に通信し得る。たとえば、トランシーバモジュール７３５は、基地局１０５および／または別のＵＥ１１５と双方向に通信し得る。トランシーバモジュール７３５は、パケットを変調し、変調されたパケットを送信のために（１つまたは複数の）アンテナ７４０に与え、（１つまたは複数の）アンテナ７４０から受信されたパケットを復調するためのモデムを含み得る。ＵＥ１１５−ｇは単一のアンテナ７４０を含み得るが、ＵＥ１１５−ｇはまた、複数のワイヤレス送信を同時に送信および／または受信することが可能な複数のアンテナ７４０を有し得る。
【００６５】
[0081]メモリ７１５は、ランダムアクセスメモリ（ＲＡＭ）および読取り専用メモリ（ＲＯＭ）を含み得る。メモリ７１５は、実行されるとプロセッサモジュール７０５に本明細書で説明する様々な機能（たとえば、モード２通信のためのグループ優先度処理など）を実行させる命令を含むコンピュータ可読、コンピュータ実行可能ソフトウェア／ファームウェアコード７２０を記憶し得る。代替的に、ソフトウェア／ファームウェアコード７２０は、プロセッサモジュール７０５によって直接的に実行可能でないことがあるが、（たとえば、コンパイルされ実行されると）コンピュータに本明細書で説明する機能を実行させ得る。プロセッサモジュール７０５は、インテリジェントハードウェアデバイス、たとえば、中央処理ユニット（ＣＰＵ）、マイクロコントローラ、ＡＳＩＣなどを含み得る。
【００６６】
[0082]図８に、Ｄ２Ｄワイヤレス通信における競合を低減するための基地局１０５−ｂのブロック図８００を示す。基地局１０５−ｂは、図１〜図７を参照しながら説明した基地局１０５の態様の一例であり得る。基地局１０５−ｂは、受信機８０５、通信管理モジュール８１０、および／または送信機８１５を含み得る。基地局１０５−ｂはプロセッサをも含み得る。これらの構成要素の各々は互いに通信していることがある。
【００６７】
[0083]基地局１０５−ｂの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の場合には、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６８】
[0084]受信機８０５は、パケット、ユーザデータ、および／または様々な情報チャネルに関連する制御情報（たとえば、制御チャネル、データチャネル、モード２通信のためのグループ優先度処理に関係する情報など）などの情報を受信し得る。情報は、通信管理モジュール８１０に、および基地局１０５−ｂの他の構成要素に受け渡され得る。いくつかの例では、受信機８０５は、複数のリソースプールの優先度レベルを識別するメッセージを受信し得、メッセージはＳＩＢメッセージまたは専用ＲＲＣメッセージである。
【００６９】
[0085]基地局通信管理モジュール８１０は、第１のデバイスから通知メッセージを受信することと、ＰｒｏＳｅ通信のために使用される複数のリソースプールの各々のための優先度レベルを識別することと、優先度レベルが通知メッセージに少なくとも部分的に基づく、複数のリソースプールのうちの少なくとも１つの識別された優先度レベルのうちの少なくとも１つを調節することとを行い得る。
【００７０】
[0086]送信機８１５は、基地局１０５−ｂの他の構成要素から受信された信号を送信し得る。場合によっては、送信機８１５は、トランシーバモジュールにおいて受信機８０５とコロケートされ得る。送信機８１５は単一のアンテナを含み得るか、またはそれは複数のアンテナを含み得る。いくつかの例では、送信機８１５は、選択された第１のリソースプールからの１つまたは複数のリソースを使用して、第２のデバイスにデータを送信し得る。いくつかの例では、送信機８１５は、第１のデバイスの第２の優先度レベルと対応する期間中に第２のデバイスにデータを送信し得る。いくつかの例では、送信機８１５は、選択された第２のリソースプールからの１つまたは複数のリソースを使用して、第２のデバイスにデータを送信し得る。
【００７１】
[0087]図９に、Ｄ２Ｄワイヤレス通信におけるグループ優先度処理のための基地局１０５−ｃのブロック図９００を示す。基地局１０５−ｃは、図１〜図８を参照しながら説明した基地局１０５の態様の一例であり得る。基地局１０５−ｃは、受信機８０５−ａ、通信管理モジュール８１０−ａ、および／または送信機８１５−ａを含み得る。基地局１０５−ｃはプロセッサをも含み得る。これらの構成要素の各々は互いに通信していることがある。通信管理モジュール８１０−ａはまた、通知メッセージモジュール９０５と、リソース構成モジュール９１０と、優先度スケジューリングモジュール９１５とを含み得る。
【００７２】
[0088]基地局１０５−ｃの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の場合には、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７３】
[0089]受信機８０５−ａは、通信管理モジュール８１０−ａに、および基地局１０５−ｃの他の構成要素に受け渡され得る情報を受信し得る。通信管理モジュール８１０−ａは、図８を参照しながら上記で説明した動作を実行し得る。送信機８１５−ａは、基地局１０５−ｃの他の構成要素から受信された信号を送信し得る。
【００７４】
[0090]通知メッセージモジュール９０５は、図２〜図３を参照しながら上記で説明したように第１のデバイスから通知メッセージを受信し得る。いくつかの例では、通知メッセージは、グループＩＤとグループＩＤ優先度レベルとを備える。リソース構成モジュール９１０は、ＰｒｏＳｅ通信のために使用される複数のリソースプールの各々のための優先度レベルを識別し得、優先度レベルは通知メッセージに少なくとも部分的に基づく。優先度スケジューリングモジュール９１５は、図２〜図３を参照しながら上記で説明したように、複数のリソースプールのうちの少なくとも１つの識別された優先度レベルのうちの少なくとも１つを調節し得る。
【００７５】
[0091]図１０に、本開示の様々な態様による、モード２通信のためのグループ優先度処理のための通信管理モジュール８１０−ｂのブロック図１０００を示す。通信管理モジュール８１０−ｂは、図８〜図９を参照しながら説明した通信管理モジュール８１０の態様の一例であり得る。通信管理モジュール８１０−ｂは、通知メッセージモジュール９０５−ａと、リソース構成モジュール９１０−ａと、優先度スケジューリングモジュール９１５−ａとを含み得る。これらのモジュールの各々は、図９を参照しながら上記で説明した機能を実行し得る。通信管理モジュール８１０−ｂは応答メッセージモジュール１００５をも含み得る。
【００７６】
[0092]通信管理モジュール８１０−ｂの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の場合には、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７７】
[0093]応答メッセージモジュール１００５は、図２〜図３を参照しながら上記で説明したように、第１のデバイスに応答メッセージを送信し得、応答メッセージは、複数のリソースプールのうちの少なくとも１つの調節された優先度レベルを識別する。いくつかの例では、応答メッセージは、複数のリソースプールのうちの少なくとも１つの上でデータを送信する前に所定の時間期間待つように第１のデバイスに命令する。
【００７８】
[0094]図１１に、本開示の様々な態様による、Ｄ２Ｄワイヤレス通信におけるグループ優先度処理のためのシステム１１００の図を示す。システム１１００は、図１〜図１０を参照しながら上記で説明した基地局１０５−ｄの一例であり得る、基地局１０５−ｄを含み得る。基地局１０５−ｄは、図２〜図１０を参照しながら説明した通信管理モジュール８１０の一例であり得る、通信管理モジュール１１１０を含み得る。基地局１０５−ｄは、通信を送信するための構成要素と通信を受信するための構成要素とを含む、双方向音声およびデータ通信のための構成要素をも含み得る。たとえば、基地局１０５−ｄは、基地局１０５−ｄおよび／または基地局１０５−ｄと双方向に通信し得る。
【００７９】
[0095]場合によっては、基地局１０５−ｄは、１つまたは複数のワイヤードバックホールリンクを有し得る。基地局１０５−ｄは、コアネットワーク１３０−ａへのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｍおよび基地局１０５−ｎなど、他の基地局１０５と通信し得る。基地局１０５の各々は、同じまたは異なるワイヤレス通信技術を使用してＵＥ１１５（たとえば、ＵＥ１１５−ｉおよびＵＥ１１５−ｊ）と通信し得る。場合によっては、基地局１０５−ｄは、基地局通信モジュール１１２５を利用して、１０５−ｍおよび／または１０５−ｎなど、他の基地局と通信し得る。場合によっては、基地局通信モジュール１１２５は、基地局１０５−ｍおよび１０５−ｎのうちのいくつかの間の通信を行うために、ＬＴＥ／ＬＴＥ−Ａワイヤレス通信ネットワーク技術内のＸ２インターフェースを与え得る。場合によっては、基地局１０５−ｄは、コアネットワーク１３０を通して他の基地局と通信し得る。場合によっては、基地局１０５−ｄは、ネットワーク通信モジュール１１３０を通してコアネットワーク１３０と通信し得る。
【００８０】
[0096]基地局１０５−ｄは、プロセッサモジュール１１０５と、（ソフトウェア（ＳＷ）１１２０を含む）メモリ１１１５と、トランシーバ１１３５と、（１つまたは複数の）アンテナ１１４０とを含み得、その各々は、（たとえば、バスシステム１１４５を介して）直接または間接的に、互いに通信していることがある。トランシーバ１１３５は、（１つまたは複数の）アンテナ１１４０を介して、マルチモードデバイスであり得るＵＥ１１５と双方向に通信するように構成され得る。トランシーバ１１３５（および／または基地局１０５−ｄの他の構成要素）はまた、アンテナ１１４０を介して、１つまたは複数の他の基地局（図示せず）と双方向に通信するように構成され得る。トランシーバ１１３５は、パケットを変調し、変調されたパケットを送信のためにアンテナ１１４０に与え、アンテナ１１４０から受信されたパケットを復調するように構成されたモデムを含み得る。基地局１０５−ｄは、各々が１つまたは複数の関連するアンテナ１１４０をもつ、複数のトランシーバ１１３５を含み得る。トランシーバモジュールは、図８の組み合わせられた受信機８０５および送信機８１５の一例であり得る。
【００８１】
[0097]メモリ１１１５はＲＡＭおよびＲＯＭを含み得る。メモリ１１１５はまた、実行されるとプロセッサモジュール１１１０に本明細書で説明する様々な機能（たとえば、Ｄ２Ｄワイヤレス通信のためのグループ優先度処理、カバレージ拡張技法を選択すること、呼処理、データベース管理、メッセージルーティングなど）を実行させるように構成された命令を含んでいるコンピュータ可読、コンピュータ実行可能ソフトウェアコード１１２０を記憶し得る。代替的に、ソフトウェア１１２０は、プロセッサモジュール１１０５によって直接的に実行可能でないことがあるが、たとえば、コンパイルされ実行されるとコンピュータに本明細書で説明する機能を実行させるように構成され得る。
【００８２】
[0098]プロセッサモジュール１１０５は、インテリジェントハードウェアデバイス、たとえば、ＣＰＵ、マイクロコントローラ、ＡＳＩＣなどを含み得る。プロセッサモジュール１１０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００８３】
[0099]基地局通信モジュール１１２５は、他の基地局１０５との通信を管理し得る。通信管理モジュールは、他の基地局１０５と協働してＵＥ１１５−ｉおよび／または１１５−ｊとの通信を制御するためのコントローラおよび／またはスケジューラを含み得る。たとえば、基地局通信モジュール１１２５は、ビームフォーミングおよび／またはジョイント送信など、様々な干渉緩和技法のためにＵＥ１１５−ｉおよび／または１１５−ｊへの送信のためのスケジューリングを調整し得る。
【００８４】
[0100]図１２に、本開示の様々な態様による、Ｄ２Ｄワイヤレス通信のためのグループ優先度処理をサポートする方法１２００を示すフローチャートを示す。方法１２００の動作は、図１〜図１１を参照しながら説明したようにＵＥ１１５またはそれの構成要素によって実施され得る。たとえば、方法１２００の動作は、図４〜図７を参照しながら説明したように通信管理モジュール４１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。
【００８５】
[0101]ブロック１２０５において、第１のデバイス（たとえば、ＵＥ１１５）が、図２〜図３を参照しながら上記で説明したように、送信の第１の優先度レベルを決定し、ここにおいて、第１のデバイスは少なくとも１つのサービスグループに関連する。いくつかの例では、ブロック１２０５の動作は、図５を参照しながら上記で説明したようにグループ優先度モジュール５１０によって実行され得る。
【００８６】
[0102]ブロック１２１０において、第１のデバイスは、図２〜図３を参照しながら上記で説明したように、決定された第１の優先度レベルと対応する、ＰｒｏＳｅ通信のための第１のリソースプールを選択する。いくつかの例では、ブロック１２１０の動作は、図５を参照しながら上記で説明したようにリソース割振りモジュール５１５によって実行され得る。
【００８７】
[0103]ブロック１２１５において、第１のデバイスは、図２〜図３を参照しながら上記で説明したように、選択された第１のリソースプールからの１つまたは複数のリソースを使用して、第２のデバイスにデータを送信する。いくつかの例では、ブロック１２１５の動作は、図４を参照しながら上記で説明したように送信機４１５によって実行され得る。
【００８８】
[0104]図１３に、本開示の様々な態様による、ワイヤレスＤ２Ｄ通信のためのグループ優先度処理をサポートする方法１３００を示すフローチャートを示す。方法１３００の動作は、図１〜図７を参照しながら説明したようにＵＥ１１５またはそれの構成要素によって実施され得る。たとえば、方法１３００の動作は、図４〜図７を参照しながら説明したように通信管理モジュール４１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１３００はまた、図１２の方法１２００の態様を組み込み得る。
【００８９】
[0105]ブロック１３０５において、少なくとも１つのサービスグループに関連する第１のデバイス（たとえば、ＵＥ１１５）が、図２〜図３を参照しながら上記で説明したように送信の第１の優先度レベルを決定する。いくつかの例では、ブロック１３０５の動作は、図５を参照しながら上記で説明したようにグループ優先度モジュール５１０によって実行され得る。
【００９０】
[0106]ブロック１３１０において、第１のデバイスは、図２〜図３を参照しながら上記で説明したように、決定された第１の優先度レベルと対応する、ＰｒｏＳｅ通信のための第１のリソースプールを選択する。いくつかの例では、ブロック１３１０の動作は、図５を参照しながら上記で説明したようにリソース割振りモジュール５１５によって実行され得る。
【００９１】
[0107]ブロック１３１５において、第１のデバイスは、図２〜図３を参照しながら上記で説明したように、第１のデバイスのデバイス優先度レベルと対応する期間中に、選択された第１のリソースプールからの１つまたは複数のリソースを使用して、第２のデバイスにデータを送信する。いくつかの例では、ブロック１３１５の動作は、図４を参照しながら上記で説明したように送信機４１５によって実行され得る。
【００９２】
[0108]図１４に、本開示の様々な態様による、ワイヤレスＤ２Ｄ通信のためのグループ優先度処理をサポートする方法１４００を示すフローチャートを示す。方法１４００の動作は、図１〜図７を参照しながら説明したようにＵＥ１１５またはそれの構成要素によって実施され得る。たとえば、方法１４００の動作は、図４〜図７を参照しながら説明したように通信管理モジュール４１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１４００はまた、図１２〜図１３の方法１２００、および１３００の態様を組み込み得る。
【００９３】
[0109]ブロック１４０５において、第１のデバイス（たとえば、ＵＥ１１５）が、図２〜図３を参照しながら上記で説明したように、複数のリソースプールの優先度レベルを識別するメッセージを受信し、メッセージはＳＩＢメッセージまたは専用ＲＲＣメッセージである。いくつかの例では、ブロック１４０５の動作は、図４を参照しながら上記で説明したように受信機４０５によって実行され得る。
【００９４】
[0110]ブロック１４１０において、第１のデバイスは、図２〜図３を参照しながら上記で説明したように、送信の第１の優先度レベルを決定し、ここにおいて、第１のデバイスは少なくとも１つのサービスグループに関連する。いくつかの例では、ブロック１２０５の動作は、図５を参照しながら上記で説明したようにグループ優先度モジュール５１０によって実行され得る。
【００９５】
[0111]ブロック１４１５において、第１のデバイスは、図２〜図３を参照しながら上記で説明したように、決定された第１の優先度レベルと対応する、ＰｒｏＳｅ通信のための第１のリソースプールを選択する。いくつかの例では、ブロック１４１５の動作は、図５を参照しながら上記で説明したようにリソース割振りモジュール５１５によって実行され得る。
【００９６】
[0112]ブロック１４２０において、第１のデバイスは、図２〜図３を参照しながら上記で説明したように、選択された第１のリソースプールからの１つまたは複数のリソースを使用して、第２のデバイスにデータを送信する。いくつかの例では、ブロック１４２０の動作は、図４を参照しながら上記で説明したように送信機４１５によって実行され得る。
【００９７】
[0113]図１５に、本開示の様々な態様による、ワイヤレスＤ２Ｄ通信のためのグループ優先度処理をサポートする方法１５００を示すフローチャートを示す。方法１５００の動作は、図１〜図７を参照しながら説明したようにＵＥ１１５またはそれの構成要素によって実施され得る。たとえば、方法１５００の動作は、図４〜図７を参照しながら説明したように通信管理モジュール４１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１５００はまた、図１２〜図１４の方法１２００、１３００、および１４００の態様を組み込み得る。
【００９８】
[0114]ブロック１５０５において、第１のデバイス（たとえば、ＵＥ１１５）が、図２〜図３を参照しながら上記で説明したように、複数のリソースプールの優先度レベルを識別するメッセージを受信し、メッセージはＳＩＢメッセージまたは専用ＲＲＣメッセージである。いくつかの例では、ブロック１５０５の動作は、図４を参照しながら上記で説明したように受信機４０５によって実行され得る。
【００９９】
[0115]ブロック１５１０において、第１のデバイスは、図２〜図３を参照しながら上記で説明したように、送信の第１の優先度レベルを決定し、ここにおいて、第１のデバイスは少なくとも１つのサービスグループに関連する。いくつかの例では、ブロック１５１０の動作は、図５を参照しながら上記で説明したようにグループ優先度モジュール５１０によって実行され得る。
【０１００】
[0116]ブロック１５１５において、第１のデバイスは、図２〜図３を参照しながら上記で説明したように、メッセージ中で識別された複数のリソースプールのいずれも第１の優先度レベルに関連しないと決定する。いくつかの例では、ブロック１５１５の動作は、図６を参照しながら上記で説明したように失敗検出モジュール６１０によって実行され得る。
【０１０１】
[0117]ブロック１５２０において、第１のデバイスは、図２〜図３を参照しながら上記で説明したように、ネットワークデバイスに通知メッセージを送信し、通知メッセージは、複数のリソースプールの優先度レベルを調節するようにネットワークデバイスに要求する。通知メッセージは、サービスグループＩＤと第１の優先度レベルとを含み得る。いくつかの例では、ブロック１５２０の動作は、図６を参照しながら上記で説明したように通知モジュール６１５によって実行され得る。
【０１０２】
[0118]図１６に、本開示の様々な態様による、モード２通信のためのグループ優先度処理をサポートする方法１６００を示すフローチャートを示す。方法１６００の動作は、図１〜図７を参照しながら説明したようにＵＥ１１５またはそれの構成要素によって実施され得る。たとえば、方法１６００の動作は、図４〜図７を参照しながら説明したように通信管理モジュール４１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１６００はまた、図１２〜図１５の方法１２００、１３００、１４００、および１５００の態様を組み込み得る。
【０１０３】
[0119]ブロック１６０５において、第１のデバイス（たとえば、ＵＥ１１５）が、図２〜図３を参照しながら上記で説明したように、送信の第１の優先度レベルを決定し、ここにおいて、第１のデバイスは少なくとも１つのサービスグループに関連する。いくつかの例では、ブロック１６０５の動作は、図５を参照しながら上記で説明したようにグループ優先度モジュール５１０によって実行され得る。
【０１０４】
[0120]ブロック１６１０において、第１のデバイスは、図２〜図３を参照しながら上記で説明したように、決定された第１の優先度レベルと対応する、ＰｒｏＳｅ通信のための第１のリソースプールを選択する。いくつかの例では、ブロック１６１０の動作は、図５を参照しながら上記で説明したようにリソース割振りモジュール５１５によって実行され得る。
【０１０５】
[0121]ブロック１６１５において、第１のデバイスは、図２〜図３を参照しながら上記で説明したように、選択された第１のリソースプールからの１つまたは複数のリソースについての競合を検出する。いくつかの例では、ブロック１６１５の動作は、図６を参照しながら上記で説明したように競合検出モジュール６２０によって実行され得る。
【０１０６】
[0122]ブロック１６２０において、第１のデバイスはまた、図２〜図３を参照しながら上記で説明したように、検出することに少なくとも部分的に基づいて第２のリソースプールを選択し、第２のリソースプールは第２の優先度レベルに関連する。いくつかの例では、ブロック１６２０の動作は、図５を参照しながら上記で説明したようにリソース割振りモジュール５１５によって実行され得る。
【０１０７】
[0123]ブロック１６２５において、第１のデバイスは、図２〜図３を参照しながら上記で説明したように、選択された第２のリソースプールからの１つまたは複数のリソースを使用して、第２のデバイスにデータを送信する。いくつかの例では、ブロック１６２５の動作は、図４を参照しながら上記で説明したように送信機４１５によって実行され得る。
【０１０８】
[0124]図１７に、本開示の様々な態様による、ワイヤレスＤ２Ｄ通信のためのグループ優先度処理をサポートする方法１７００を示すフローチャートを示す。方法１７００の動作は、図１〜図１１を参照しながら説明したように基地局１０５またはそれの構成要素によって実施され得る。たとえば、方法１７００の動作は、図４〜図１１を参照しながら説明したように通信管理モジュール８１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。
【０１０９】
[0125]ブロック１７０５において、基地局１０５は、図２〜図３を参照しながら上記で説明したように第１のデバイスから通知メッセージを受信する。いくつかの例では、ブロック１７０５の動作は、図９を参照しながら上記で説明したように通知メッセージモジュール９０５によって実行され得る。
【０１１０】
[0126]ブロック１７１０において、基地局１０５は、図２〜図３を参照しながら上記で説明したように、ＰｒｏＳｅ通信のために使用される複数のリソースプールの各々のための優先度レベルを識別し、優先度レベルは通知メッセージに少なくとも部分的に基づく。いくつかの例では、ブロック１７１０の動作は、図９を参照しながら上記で説明したようにリソース構成モジュール９１０によって実行され得る。
【０１１１】
[0127]ブロック１７１５において、基地局１０５は、図２〜図３を参照しながら上記で説明したように、複数のリソースプールのうちの少なくとも１つの識別された優先度レベルのうちの少なくとも１つを調節する。いくつかの例では、ブロック１７１５の動作は、図９を参照しながら上記で説明したように優先度スケジューリングモジュール９１５によって実行され得る。
【０１１２】
[0128]したがって、方法１２００、１３００、１４００、１５００、１６００、および１７００は、ワイヤレスＤ２Ｄ通信のためのグループ優先度処理を与え得る。方法１２００、１３００、１４００、１５００、１６００、および１７００は可能な実施形態を表すこと、ならびに動作およびステップは、他の実施形態が可能であるように、並べ替えられるかまたは場合によっては変更され得ることに留意されたい。いくつかの例では、方法１２００、１３００、１４００、１５００、１６００、および１７００のうちの２つまたはそれ以上からの態様が組み合わせられ得る。
【０１１３】
[0129]添付の図面に関して上記に記載した詳細な説明は、例示的な実施形態について説明しており、実装され得るまたは特許請求の範囲内に入るすべての実施形態を表すとは限らない。この説明全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【０１１４】
[0130]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１５】
[0131]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１１６】
[0132]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、［Ａ、Ｂ、またはＣのうちの少なくとも１つ］の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１１７】
[0133]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１１８】
[0134]本開示についての以上の説明は、当業者が本開示を作成または使用することができるように与えられる。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
【０１１９】
[0135]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
［Ｃ１］
ユーザ機器（ＵＥ）におけるワイヤレス通信の方法であって、
第１のデバイスによって、送信の第１の優先度レベルを決定することと、ここにおいて、前記第１のデバイスが少なくとも１つのサービスグループに関連する、
前記決定された第１の優先度レベルと対応する、近接サービス（ＰｒｏＳｅ）通信のための第１のリソースプールを選択することと、
前記選択された第１のリソースプールからの１つまたは複数のリソースを使用して、第２のデバイスにデータを送信することと
を備える、方法。
［Ｃ２］
前記送信の前記第１の優先度レベルが、前記第１のデバイスまたは前記第２のデバイスに関連するデバイス優先度レベルに少なくとも部分的に基づく、Ｃ１に記載の方法。
［Ｃ３］
前記送信の前記第１の優先度レベルが、前記第１のデバイスまたは前記第２のデバイスに関連するサービスグループ優先度レベルに少なくとも部分的に基づく、Ｃ１に記載の方法。
［Ｃ４］
前記第１のデバイスのデバイス優先度レベルと対応する期間中に前記第２のデバイスにデータを送信すること
をさらに備える、Ｃ１に記載の方法。
［Ｃ５］
複数のリソースプールの優先度レベルを識別するメッセージを受信することをさらに備え、前記メッセージがシステム情報ブロック（ＳＩＢ）メッセージまたは専用無線リソース制御（ＲＲＣ）メッセージである、
Ｃ１に記載の方法。
［Ｃ６］
前記メッセージ中で識別された前記複数のリソースプールのいずれも前記第１の優先度レベルに関連しないと決定することと、
ネットワークデバイスに通知メッセージを送信することと、前記通知メッセージが、前記複数のリソースプールの優先度レベルを調節するように前記ネットワークデバイスに要求し、ここにおいて、前記通知メッセージが、サービスグループ識別情報（ＩＤ）と前記送信の前記第１の優先度レベルとを備える、
をさらに備える、Ｃ５に記載の方法。
［Ｃ７］
前記選択された第１のリソースプールからの前記１つまたは複数のリソースについての競合を検出することと、
前記検出することに少なくとも部分的に基づいて第２のリソースプールを選択することと、前記第２のリソースプールが第２の優先度レベルに関連する、
前記選択された第２のリソースプールからの１つまたは複数のリソースを使用して、前記第２のデバイスにデータを送信することと
をさらに備える、Ｃ１に記載の方法。
［Ｃ８］
前記第２のリソースプールに関連する前記第２の優先度レベルが、前記第１のリソースプールに関連する前記第１の優先度レベルよりも低い、Ｃ７に記載の方法。
［Ｃ９］
前記第１のリソースプールが、スケジューリング割当て（ＳＡ）リソースプールまたはデータリソースプールまたはそれらの組合せを備える、Ｃ１に記載の方法。
［Ｃ１０］
前記第１のデバイスが、前記少なくとも１つのサービスグループに関連するように事前構成された、Ｃ１に記載の方法。
［Ｃ１１］
前記少なくとも１つのサービスグループが一意のグループ識別情報（ＩＤ）に関連する、Ｃ１に記載の方法。
［Ｃ１２］
基地局におけるワイヤレス通信の方法であって、
第１のデバイスから通知メッセージを受信することと、
ＰｒｏＳｅ通信のために使用される複数のリソースプールの各々のための優先度レベルを識別することと、前記優先度レベルが前記通知メッセージに少なくとも部分的に基づく、
前記複数のリソースプールのうちの少なくとも１つの前記識別された優先度レベルのうちの少なくとも１つを調節することと
を備える、方法。
［Ｃ１３］
前記第１のデバイスに応答メッセージを送信することをさらに備え、前記応答メッセージが、前記複数のリソースプールのうちの前記少なくとも１つの前記調節された優先度レベルを識別する、
Ｃ１２に記載の方法。
［Ｃ１４］
前記応答メッセージが、前記複数のリソースプールのうちの少なくとも１つの上でデータを送信する前に所定の時間期間待つように前記第１のデバイスに命令する、Ｃ１３に記載の方法。
［Ｃ１５］
前記通知メッセージが、サービスグループ識別情報（ＩＤ）とサービスグループＩＤ優先度レベルとを備える、Ｃ１２に記載の方法。
［Ｃ１６］
ユーザ機器（ＵＥ）におけるワイヤレス通信のための装置であって、
第１のデバイスによって、送信の第１の優先度レベルを決定するための手段と、ここにおいて、前記第１のデバイスが少なくとも１つのサービスグループに関連する、
前記決定された第１の優先度レベルと対応する、近接サービス（ＰｒｏＳｅ）通信のための第１のリソースプールを選択するための手段と、
前記選択された第１のリソースプールからの１つまたは複数のリソースを使用して、第２のデバイスにデータを送信するための手段と
を備える、装置。
［Ｃ１７］
前記送信の前記第１の優先度レベルが、前記第１のデバイスまたは前記第２のデバイスに関連するサービスグループ優先度レベルに少なくとも部分的に基づく、Ｃ１６に記載の装置。
［Ｃ１８］
前記送信の前記第１の優先度レベルが、前記第１のデバイスまたは前記第２のデバイスに関連するデバイス優先度レベルに少なくとも部分的に基づく、Ｃ１６に記載の装置。
［Ｃ１９］
前記第１のデバイスのデバイス優先度レベルと対応する期間中に前記第２のデバイスにデータを送信するための手段
をさらに備える、Ｃ１６に記載の装置。
［Ｃ２０］
複数のリソースプールの優先度レベルを識別するメッセージを受信するための手段をさらに備え、前記メッセージがシステム情報ブロック（ＳＩＢ）メッセージまたは専用無線リソース制御（ＲＲＣ）メッセージである、
Ｃ１６に記載の装置。
［Ｃ２１］
前記メッセージ中で識別された前記複数のリソースプールのいずれも前記第１の優先度レベルに関連しないと決定するための手段と、
ネットワークデバイスに通知メッセージを送信するための手段と、前記通知メッセージが、前記複数のリソースプールの優先度レベルを調節するように前記ネットワークデバイスに要求し、ここにおいて、前記通知メッセージが、サービスグループ識別情報（ＩＤ）と前記送信の前記第１の優先度レベルとを備える、
をさらに備える、Ｃ２０に記載の装置。
［Ｃ２２］
前記選択された第１のリソースプールからの前記１つまたは複数のリソースについての競合を検出するための手段と、
前記検出することに少なくとも部分的に基づいて第２のリソースプールを選択するための手段と、前記第２のリソースプールが第２の優先度レベルに関連する、
前記選択された第２のリソースプールからの１つまたは複数のリソースを使用して、前記第２のデバイスにデータを送信するための手段と
をさらに備える、Ｃ１６に記載の装置。
［Ｃ２３］
前記第２のリソースプールに関連する前記第２の優先度レベルが、前記第１のリソースプールに関連する前記第１の優先度レベルよりも低い、Ｃ２２に記載の装置。
［Ｃ２４］
前記第１のリソースプールが、スケジューリング割当て（ＳＡ）リソースプールまたはデータリソースプールまたはそれらの組合せを備える、Ｃ１６に記載の装置。
［Ｃ２５］
前記第１のデバイスが、前記少なくとも１つのサービスグループに関連するように事前構成された、Ｃ１６に記載の装置。
［Ｃ２６］
前記少なくとも１つのサービスグループが一意のグループ識別情報（ＩＤ）に関連する、Ｃ１６に記載の装置。
［Ｃ２７］
基地局におけるワイヤレス通信のための装置であって、
第１のデバイスから通知メッセージを受信するための手段と、
ＰｒｏＳｅ通信のために使用される複数のリソースプールの各々のための優先度レベルを識別するための手段と、前記優先度レベルが前記通知メッセージに少なくとも部分的に基づく、
前記複数のリソースプールのうちの少なくとも１つの前記識別された優先度レベルのうちの少なくとも１つを調節するための手段と
を備える、装置。
［Ｃ２８］
前記第１のデバイスに応答メッセージを送信するための手段をさらに備え、前記応答メッセージが、前記複数のリソースプールのうちの前記少なくとも１つの前記調節された優先度レベルを識別する、
Ｃ２７に記載の装置。
［Ｃ２９］
前記応答メッセージが、前記複数のリソースプールのうちの少なくとも１つの上でデータを送信する前に所定の時間期間待つように前記第１のデバイスに命令する、Ｃ２８に記載の装置。
［Ｃ３０］
前記通知メッセージが、サービスグループ識別情報（ＩＤ）とサービスグループＩＤ優先度レベルとを備える、Ｃ２７に記載の装置。
【図１】
0006400841.tif 000002
【図２】
0006400841.tif 000003
【図３】
0006400841.tif 000004
【図４】
0006400841.tif 000005
【図５】
0006400841.tif 000006
【図６】
0006400841.tif 000007
【図７】
0006400841.tif 000008
【図８】
0006400841.tif 000009
【図９】
0006400841.tif 000010
【図１０】
0006400841.tif 000011
【図１１】
0006400841.tif 000012
【図１２】
0006400841.tif 000013
【図１３】
0006400841.tif 000014
【図１４】
0006400841.tif 000015
【図１５】
0006400841.tif 000016
【図１６】
0006400841.tif 000017
【図１７】
0006400841.tif 000018